【手続補正書】
【提出日】平成29年12月20日(2017.12.20)
【手続補正１】
【補正対象書類名】特許請求の範囲
【補正対象項目名】全文
【補正方法】変更
【補正の内容】
【特許請求の範囲】
【請求項１】
陽極と、陰極と、前記陽極と前記陰極との間に配置されている発光層と、を有する有機発光素子であって、
前記陰極と前記発光層との間に配置されている第一の有機化合物層と、前記発光層と前記第一の有機化合物層との間に配置され、かつ前記第一の有機化合物層に接している第二の有機化合物層と、を有し、
前記第一の有機化合物層が、第一の有機化合物を有し、
前記第二の有機化合物層が、第二の有機化合物を有し、
前記第一の有機化合物が、下記一般式［１］で表わされる有機化合物であり、前記第二の有機化合物が、前記第一の有機化合物とは別種の有機化合物であることを特徴とする、有機発光素子。
【化１】
2015164178.tif 000001
（式［１］において、Ｒ1乃至Ｒ6は、それぞれ水素原子又はフッ素原子、アルキル基、アルコキシ基、アリール基及びヘテロアリール基から選択される置換基を表す。尚、Ｒ1乃至Ｒ6のいずれかがアルキル基又はアルコキシ基である場合、当該アルキル基及び当該アルコキシ基は、フッ素原子をさらに有してもよい。またＲ1乃至Ｒ6のいずれかがアリール基又はヘテロアリール基である場合、当該アリール基及び当該ヘテロアリール基は、フッ素原子、アルキル基、アルコキシ基又はアミノ基をさらに有してもよい。）
【請求項２】
前記第一の有機化合物層が、前記陰極に接する層であることを特徴とする、請求項１または２に記載の有機発光素子。
【請求項３】
陽極と、陰極と、前記陽極と前記陰極との間に配置されている発光層と、を有する有機発光素子であって、
前記発光層と前記陰極との間に配置されている有機化合物層を有し、
前記有機化合物層が、第一の有機化合物と、第二の有機化合物とを有し、
前記第一の有機化合物が、下記一般式［１］で表わされる有機化合物であり、前記第二の有機化合物が、前記第一の有機化合物とは別種の有機化合物であることを特徴とする、有機発光素子。
【化２】
2015164178.tif 000002
（式［１］において、Ｒ1乃至Ｒ6は、それぞれ水素原子又はフッ素原子、アルキル基、アルコキシ基、アリール基及びヘテロアリール基から選択される置換基を表す。尚、Ｒ1乃至Ｒ6のいずれかがアルキル基又はアルコキシ基である場合、当該アルキル基及び当該アルコキシ基は、フッ素原子をさらに有してもよい。またＲ1乃至Ｒ6のいずれかがアリール基又はヘテロアリール基である場合、当該アリール基及び当該ヘテロアリール基は、フッ素原子、アルキル基、アルコキシ基又はアミノ基をさらに有してもよい。）
【請求項４】
前記有機化合物層が、前記陰極に接する層であることを特徴とする、請求項３に記載の有機発光素子。
【請求項５】
前記第一の有機化合物と前記第二の化合物の合計に対して、前記第二の有機化合物が、０重量％よりも大きく８０重量％以下含まれることを特徴とする、請求項３又は４に記載の有機発光素子。
【請求項６】
前記第一の有機化合物と、前記第二の有機化合物と、において、下記式［２］が満たされることを特徴とする、請求項１乃至５のいずれか一項に記載の有機発光素子。
｜Ｖred−Ｖox｜≦１．０Ｖ                                          ［２］
（式［２］において、Ｖredは、第二の有機化合物の第一還元電位値を表し、Ｖoxは、第一の有機化合物の第一酸化電位値を表す。）
【請求項７】
前記第一の有機化合物と、前記第二の有機化合物と、において、下記式［５］が満たされることを特徴とする、請求項６に記載の有機発光素子。
｜Ｖred−Ｖox｜≦０．５Ｖ                                          ［５］
【請求項８】
前記第二の有機化合物が、下記一般式［３−１］乃至［３−２１］、［４−１］及び［４−２］のいずれかに示される化合物であることを特徴とする、請求項１乃至７のいずれか一項に記載の有機発光素子。
【化３】
2015164178.tif 000003
（式［３−１］乃至［３−２１］、［４−１］及び［４−２］において、Ｒ21乃至Ｒ99及びＲ103乃至Ｒ159は、それぞれ水素原子又はフッ素原子、アルキル基、アルコキシ基、アリール基及びヘテロアリール基から選択される置換基を表す。尚、Ｒ21乃至Ｒ99及びＲ103乃至Ｒ159のいずれかが、アリール基又はヘテロアリール基である場合、当該アリール基及び当該ヘテロアリール基は、アルキル基、アルコキシ基、アリール基、ヘテロアリール基又はフッ素原子をさらに有していてもよい。
式［４−１］において、ユニットＱは、式［３−１］乃至［３−２１］のいずれかに示される基本構造又は炭素数６乃至３０の芳香環を含む部分構造を表す。ｎは、０乃至６の整数を表す。ユニットＰは、下記に示される置換基のうちのいずれかである。
【化４】
2015164178.tif 000004
（式中、Ｒ100及びＲ101は、それぞれ水素原子、アルキル基、アルコキシ基、アリール基、ヘテロアリール基及びフッ素原子から選択される置換基を表す。尚、Ｒ100及びＲ101のいずれかが、アリール基又はヘテロアリール基である場合、当該アリール基及び当該ヘテロアリール基は、アルキル基、アルコキシ基、アリール基、ヘテロアリール基又はフッ素原子をさらに有していてもよい。＊は、ユニットＱとの結合手を表す。）
式［４−２］において、ユニットＴは、炭素数６乃至３０の芳香環を含む部分構造又は炭素原子と酸素原子とからなる５員環又は６員環の複素環構造を含む部分構造を表す。ｎは、０乃至６の整数を表す。ユニットＺは、下記に示される置換基のうちのいずれかである。
【化５】
2015164178.tif 000005
（式中、Ｒ102は、水素原子、アルキル基、アルコキシ基、アリール基、ヘテロアリール基及びフッ素原子から選択される置換基を表す。尚、Ｒ102が、アリール基又はヘテロアリール基である場合、当該アリール基及び当該ヘテロアリール基は、アルキル基、アルコキシ基、アリール基、ヘテロアリール基又はフッ素原子をさらに有していてもよい。★は、ユニットＴとの結合手を表す。））
【請求項９】
前記第一の有機化合物が、下記一般式［６］で表わされる有機化合物であることを特徴とする、請求項１乃至８のいずれか一項に記載の有機発光素子。
【化６】
2015164178.tif 000006
（一般式［６］において、Ａｒ1及びＡｒ2は、それぞれフッ素原子、アルキル基、アルコキシ基又はアミノ基を有していてもよいアリール基を表す。）
【請求項１０】
前記第一の有機化合物が、下記一般式［８］で表わされる有機化合物であることを特徴とする、請求項１乃至８のいずれか一項に記載の有機発光素子。
【化７】
2015164178.tif 000007
（一般式［８］において、Ｒ203乃至Ｒ206は、すべてアリール基であり、Ｒ211乃至Ｒ220は、それぞれ水素原子又はフッ素原子、アルキル基、アルコキシ基及びアリール基から選択される置換基を表す。尚、当該アリール基は、フッ素原子、アルキル基、アルコキシ基又はアミノ基をさらに有してもよい。）
【請求項１１】
前記Ｒ1乃至Ｒ6で表されるアリール基が、炭素数６乃至１８のアリール基であることを特徴とする請求項１乃至１０のいずれか一項に記載の有機発光素子。
【請求項１２】
前記Ｒ1乃至Ｒ6で表されるアルキル基が、炭素数１乃至１２のアルキル基であることを特徴とする請求項１乃至１１のいずれか一項に記載の有機発光素子。
【請求項１３】
前記Ｒ1乃至Ｒ6で表されるアルコキシ基が、炭素数１乃至１２のアルコキシ基であることを特徴とする請求項１乃至１２のいずれか一項に記載の有機発光素子。
【請求項１４】
前記Ｒ1乃至Ｒ6で表されるヘテロアリール基が、ピリジル基、ピリミジル基、トリアジニル基、チエニル基、フリル基、ピロリル基、フェニルピロリル基、イミダゾリル基、ベンゾイミダゾリル基、トリアゾリル基、フェノキサジニル基、キサンテニル基、ジベンゾフラニル基のいずれかであることを特徴とする請求項１乃至１３のいずれか一項に記載の有機発光素子。
【請求項１５】
複数の画素を有し、
前記複数の画素のうち少なくとも１つが、請求項１乃至１４のいずれか一項に記載の有機発光素子と、前記有機発光素子に接続されている能動素子と、を有することを特徴とする、表示装置。
【請求項１６】
前記能動素子が、トランジスタであり、
前記トランジスタは、活性層に酸化物半導体を有することを特徴とする請求項１５に記載の表示装置。
【請求項１７】
画像情報を入力する入力部と、画像を表示する表示部とを有し、
前記表示部が、請求項１５又は１６に記載の表示装置であることを特徴とする、画像情報処理装置。
【請求項１８】
請求項１乃至１４のいずれか一項に記載の有機発光素子と、前記有機発光素子に駆動電圧を供給するためのＡＣ／ＤＣコンバーターと、を有することを特徴とする、照明装置。
【請求項１９】
感光体と前記感光体を帯電させる帯電部と、前記感光体を露光する露光部と、前記感光体に現像剤を付与する現像部と、を有し、
前記露光部が、請求項１乃至１４のいずれか一項に記載の有機発光素子を有することを特徴とする、画像形成装置。
【請求項２０】
感光体を露光する露光装置であって、
請求項１乃至１４のいずれか一項に記載の有機発光素子を有する発光点を複数有し、
前記発光点は、前記感光体の長軸方向に沿って列を形成して配置されていることを特徴とする露光装置。
【手続補正２】
【補正対象書類名】明細書
【補正対象項目名】００１３
【補正方法】変更
【補正の内容】
【００１３】
本発明の有機発光素子の第一の態様は、陽極と、陰極と、前記陽極と前記陰極との間に配置されている発光層と、を有する有機発光素子であって、
前記陰極と前記発光層との間に配置されている第一の有機化合物層と、前記発光層と前記第一の有機化合物層との間に配置され、かつ前記第一の有機化合物層に接している第二の有機化合物層と、を有し、
前記第一の有機化合物層が、第一の有機化合物を有し、
前記第二の有機化合物層が、第二の有機化合物を有し、
前記第一の有機化合物が、下記一般式［１］で表わされる有機化合物であり、前記第二の有機化合物が、前記第一の有機化合物とは別種の有機化合物であることを特徴とする。
【手続補正３】
【補正対象書類名】明細書
【補正対象項目名】００１６
【補正方法】変更
【補正の内容】
【００１６】
本発明の有機発光素子の第二の態様は、陽極と、陰極と、前記陽極と前記陰極との間に配置されている発光層と、を有する有機発光素子であって、
前記発光層と前記陰極との間に配置されている有機化合物層を有し、
前記有機化合物層が、第一の有機化合物と、第二の有機化合物とを有し、
前記第一の有機化合物が、下記一般式［１］で表わされる有機化合物であり、前記第二の有機化合物が、前記第一の有機化合物とは別種の有機化合物であることを特徴とする。
【手続補正４】
【補正対象書類名】明細書
【補正対象項目名】００５７
【補正方法】変更
【補正の内容】
【００５７】
式［４−１］において、ｎは、０乃至６の整数を表す。